【手続補正書】
【提出日】平成25年11月26日(2013.11.26)
【手続補正１】
【補正対象書類名】特許請求の範囲
【補正対象項目名】全文
【補正方法】変更
【補正の内容】
【特許請求の範囲】
【請求項１】
複数種類の図柄を可変表示する複数のリールと、
前記複数のリールを用いた遊技を行う際に必要な規定数の遊技媒体をベットするためのベット操作を含む所定の遊技操作を受け付ける遊技操作受付手段と、
前記複数のリールにおいて停止表示される図柄組合せの態様により規定される複数の遊技役の中から、成立することが許容される被決定遊技役を選出するための役決定処理を行う役決定手段と、
前記複数のリールの駆動を制御するリール制御手段と、
前記複数の遊技役のうち、成立時には新たな遊技媒体をベットすることなく次の遊技を行うことが許可されるように構成された再遊技役が成立した場合に、前記規定数の遊技媒体がベットされた状態を設定する自動ベット処理を行うベット管理手段と、
前記複数の遊技役のうち、成立時には所定数の遊技媒体が払い出されるように構成された入賞役が成立した場合に、該所定数の遊技媒体を払い出す遊技媒体払出手段と、
前記遊技の状況に応じた各種の演出を実行する演出実行手段と、を備えたスロットマシンであって、
前記再遊技役のうち、成立時には前記入賞役のうちの特定の入賞役を構成する特定の図柄組合せが第１の所定位置とは異なる第２の所定位置に停止表示されるように構成された特定の再遊技役が成立したことを契機として、前記自動ベット処理の実行が遅延される自動ベット処理凍結期間を設定し、設定された該自動ベット処理凍結期間において前記所定の遊技操作が前記遊技操作受付手段に受け付けられたことを契機として、該自動ベット処理凍結期間を終了し前記自動ベット処理を実行させる自動ベット処理実行時機制御手段を備え、
前記演出実行手段は、前記特定の再遊技役が成立して前記特定の図柄組合せが前記第２の所定位置に停止表示されたことを契機として、前記特定の入賞役が成立したときに実行される所定の演出を、少なくとも前記自動ベット処理凍結期間において実行し得るように構成され、
前記特定の入賞役が成立した場合には、前記遊技媒体の払出しを示す特定音を出力する特定音出力演出が実行されるように構成されており、
前記所定の演出は、前記特定の入賞役が成立したときに実行される前記特定音出力演出と同じ特定音を出力する演出である、ことを特徴とするスロットマシン。
【請求項２】
複数種類の図柄を可変表示する複数のリールと、
前記複数のリールを用いた遊技を行う際に必要な規定数の遊技媒体をベットするためのベット操作を含む所定の遊技操作を受け付ける遊技操作受付手段と、
前記複数のリールにおいて停止表示される図柄組合せの態様により規定される複数の遊技役の中から、成立することが許容される被決定遊技役を選出するための役決定処理を行う役決定手段と、
前記複数のリールの駆動を制御するリール制御手段と、
前記複数の遊技役のうち、成立時には新たな遊技媒体をベットすることなく次の遊技を行うことが許可されるように構成された再遊技役が成立した場合に、前記規定数の遊技媒体がベットされた状態を設定する自動ベット処理を行うベット管理手段と、
前記複数の遊技役のうち、成立時には所定数の遊技媒体が払い出されるように構成された入賞役が成立した場合に、該所定数の遊技媒体を払い出す遊技媒体払出手段と、
前記遊技の状況に応じた各種の演出を実行する演出実行手段と、を備えたスロットマシンであって、
前記再遊技役のうち、成立時には前記入賞役のうちの特定の入賞役を構成する特定の図柄組合せが第１の所定位置とは異なる第２の所定位置に停止表示されるように構成された特定の再遊技役が成立したことを契機として、前記自動ベット処理の実行が遅延される自動ベット処理凍結期間を設定し、設定された該自動ベット処理凍結期間において前記所定の遊技操作が前記遊技操作受付手段に受け付けられたことを契機として、該自動ベット処理凍結期間を終了し前記自動ベット処理を実行させる自動ベット処理実行時機制御手段を備え、
前記演出実行手段は、前記特定の再遊技役が成立して前記特定の図柄組合せが前記第２の所定位置に停止表示されたことを契機として、前記特定の入賞役が成立したときに実行される所定の演出を、少なくとも前記自動ベット処理凍結期間において実行し得るように構成され、
前記特定の入賞役が成立した場合には、停止表示された前記特定の図柄組合せを前記複数のリールの内部から照明する照明演出が実行されるように構成されており、
前記所定の演出は、前記特定の入賞役が成立したときに実行される前記照明演出と同じく、停止表示された前記特定の図柄組合せを前記複数のリールの内部から照明する演出である、ことを特徴とするスロットマシン。
【手続補正２】
【補正対象書類名】明細書
【補正対象項目名】００２１
【補正方法】変更
【補正の内容】
【００２１】
請求項１の本発明に係るスロットマシンは、複数種類の図柄を可変表示する複数のリールと、複数のリールを用いた遊技を行う際に必要な規定数の遊技媒体をベットするためのベット操作を含む所定の遊技操作を受け付ける遊技操作受付手段（例えば、遊技操作処理時機導出手段１０６）と、複数のリールにおいて停止表示される図柄組合せの態様により規定される複数の遊技役の中から、成立することが許容される被決定遊技役を選出するための役決定処理を行う役決定手段と、複数のリールの駆動を制御するリール制御手段と、複数の遊技役のうち、成立時には新たな遊技媒体をベットすることなく次の遊技を行うことが許可されるように構成された再遊技役が成立した場合に、規定数の遊技媒体がベットされた状態を設定する自動ベット処理を行うベット管理手段と、複数の遊技役のうち、成立時には所定数の遊技媒体が払い出されるように構成された入賞役が成立した場合に、該所定数の遊技媒体を払い出す遊技媒体払出手段（例えば、ホッパー５０及びホッパー駆動回路５２）と、遊技の状況に応じた各種の演出を実行する演出実行手段（例えば、演出実行制御手段２０２、画像表示装置１１、スピーカ１５ａ，１５ｂ，４４ａ，４４ｂ、バックランプ３８ａ，３８ｂ，３８ｃ等）と、を備えたスロットマシンであって、再遊技役のうち、成立時には入賞役のうちの特定の入賞役を構成する特定の図柄組合せ（例えば、「ベル・ベル・ベル」、「スイカＡ／Ｂ・スイカＡ・スイカＡ」）が第１の所定位置（例えば、入賞位置である有効ライン２９上）とは異なる第２の所定位置（例えば、非入賞位置である上段ラインＬ１上、右下がりラインＬ２上）に停止表示されるように構成された特定の再遊技役（例えば、ベルＲＰ、スイカＲＰ）が成立したことを契機として、自動ベット処理の実行が遅延される自動ベット処理凍結期間を設定し、設定された自動ベット処理凍結期間において所定の遊技操作が遊技操作受付手段に受け付けられたことを契機として、自動ベット処理凍結期間を終了し自動ベット処理を実行させる自動ベット処理実行時機制御手段を備え、演出実行手段は、特定の再遊技役が成立して特定の図柄組合せが第２の所定位置に停止表示されたことを契機として、特定の入賞役が成立したときに実行される所定の演出を、少なくとも自動ベット処理凍結期間において実行し得るように構成され、特定の入賞役が成立した場合には、遊技媒体の払出しを示す特定音（例えば、払出音）を出力する特定音出力演出（例えば、払出音出力演出）が実行されるように構成されており、前記所定の演出は、特定の入賞役が成立したときに実行される特定音出力演出と同じ特定音を出力する演出（例えば、架空払出音出力演出）である、ことを特徴とする。
請求項２の本発明に係るスロットマシンは、複数種類の図柄を可変表示する複数のリールと、複数のリールを用いた遊技を行う際に必要な規定数の遊技媒体をベットするためのベット操作を含む所定の遊技操作を受け付ける遊技操作受付手段（例えば、遊技操作処理時機導出手段１０６）と、複数のリールにおいて停止表示される図柄組合せの態様により規定される複数の遊技役の中から、成立することが許容される被決定遊技役を選出するための役決定処理を行う役決定手段と、複数のリールの駆動を制御するリール制御手段と、複数の遊技役のうち、成立時には新たな遊技媒体をベットすることなく次の遊技を行うことが許可されるように構成された再遊技役が成立した場合に、規定数の遊技媒体がベットされた状態を設定する自動ベット処理を行うベット管理手段と、複数の遊技役のうち、成立時には所定数の遊技媒体が払い出されるように構成された入賞役が成立した場合に、該所定数の遊技媒体を払い出す遊技媒体払出手段（例えば、ホッパー５０及びホッパー駆動回路５２）と、遊技の状況に応じた各種の演出を実行する演出実行手段（例えば、演出実行制御手段２０２、画像表示装置１１、スピーカ１５ａ，１５ｂ，４４ａ，４４ｂ、バックランプ３８ａ，３８ｂ，３８ｃ等）と、を備えたスロットマシンであって、再遊技役のうち、成立時には入賞役のうちの特定の入賞役を構成する特定の図柄組合せ（例えば、「ベル・ベル・ベル」、「スイカＡ／Ｂ・スイカＡ・スイカＡ」）が第１の所定位置（例えば、入賞位置である有効ライン２９上）とは異なる第２の所定位置（例えば、非入賞位置である上段ラインＬ１上、右下がりラインＬ２上）に停止表示されるように構成された特定の再遊技役（例えば、ベルＲＰ、スイカＲＰ）が成立したことを契機として、自動ベット処理の実行が遅延される自動ベット処理凍結期間を設定し、設定された自動ベット処理凍結期間において所定の遊技操作が遊技操作受付手段に受け付けられたことを契機として、自動ベット処理凍結期間を終了し自動ベット処理を実行させる自動ベット処理実行時機制御手段を備え、演出実行手段は、特定の再遊技役が成立して特定の図柄組合せが第２の所定位置に停止表示されたことを契機として、特定の入賞役が成立したときに実行される所定の演出を、少なくとも自動ベット処理凍結期間において実行し得るように構成され、特定の入賞役が成立した場合には、停止表示された特定の図柄組合せを複数のリールの内部から照明する照明演出（例えば、バックランプ演出Ａ）が実行されるように構成されており、前記所定の演出は、特定の入賞役が成立したときに実行される照明演出と同じく、停止表示された特定の図柄組合せを複数のリールの内部から照明する演出（例えば、バックランプ演出Ｂ）である、ことを特徴とする。
参考の本発明に係るスロットマシンは、複数種類の図柄を可変表示する複数のリールと、複数のリールを用いた遊技を行う際に必要な規定数の遊技媒体をベットするためのベット操作を含む所定の遊技操作を受け付ける遊技操作受付手段（例えば、遊技操作処理時機導出手段１０６）と、複数のリールにおいて停止表示される図柄組合せの態様により規定される複数の遊技役の中から、成立することが許容される被決定遊技役を選出するための役決定処理を行う役決定手段と、複数のリールの駆動を制御するリール制御手段と、複数の遊技役のうち、成立時には新たな遊技媒体をベットすることなく次の遊技を行うことが許可されるように構成された再遊技役が成立した場合に、規定数の遊技媒体がベットされた状態を設定する自動ベット処理を行うベット管理手段と、複数の遊技役のうち、成立時には所定数の遊技媒体が払い出されるように構成された入賞役が成立した場合に、該所定数の遊技媒体を払い出す遊技媒体払出手段（例えば、ホッパー５０及びホッパー駆動回路５２）と、遊技の状況に応じた各種の演出を実行する演出実行手段（例えば、演出実行制御手段２０２、画像表示装置１１、スピーカ１５ａ，１５ｂ，４４ａ，４４ｂ、バックランプ３８ａ，３８ｂ，３８ｃ等）と、を備えたスロットマシンであって、再遊技役のうち、成立時には入賞役のうちの特定の入賞役を構成する特定の図柄組合せ（例えば、「ベル・ベル・ベル」、「スイカＡ／Ｂ・スイカＡ・スイカＡ」）が第１の所定位置（例えば、入賞位置である有効ライン２９上）とは異なる第２の所定位置（例えば、非入賞位置である上段ラインＬ１上、右下がりラインＬ２上）に停止表示されるように構成された特定の再遊技役（例えば、ベルＲＰ、スイカＲＰ）が成立したことを契機として、自動ベット処理の実行が禁止される自動ベット処理凍結期間を設定し、設定された自動ベット処理凍結期間において所定の遊技操作が遊技操作受付手段に受け付けられたことを契機として、自動ベット処理凍結期間を終了し自動ベット処理を実行させる自動ベット処理実行時機制御手段を備え、演出実行手段は、特定の再遊技役が成立して特定の図柄組合せが第２の所定位置に停止表示されたことを契機として、特定の入賞役が成立したときに実行される所定の演出を、自動ベット処理凍結期間において実行し得るように構成されている、ことを特徴とする。